(57)【要約】【課題】ボディーラインに合わせ、乳房や臀部など、丸みをおびて見せたいところを、より自然に丸みをおびて見せることができる衣類を提供する。【解決手段】本考案の衣類は、身体の湾曲している所定の部位を補正する体形補正部分５ａを有する。体形補正部分５ａの少なくとも一部分は、第１の布１１により所定の部位にほぼ沿うように形成された第１の布部材１０と、伸縮性を有する第２の布２１ａおよび２１ｂが積層されてなる第２の布部材２０とを、それらの一部を縫い合わせることで形成されている。第２の布部材２０は、第２の布２１ａおよび２１ｂの枚数が段階的に変化しており、第２の布２１ａおよび２１ｂは、互いに貼り付けられている。【選択図】図３
0003127664.tif 000002
【実用新案登録請求の範囲】
【請求項１】
身体の湾曲している所定の部位を補正する体形補正部分を有する衣類であって、
前記体形補正部分の少なくとも一部分は、第１の布により前記所定の部位にほぼ沿うように形成された第１の布部材と、伸縮性を有する第２の布が複数枚積層されてなる第２の布部材とを、前記第１の布部材に対して前記第２の布部材が表または裏になるように、それらの一部を縫い合わせることで形成されており、
前記第２の布部材は、前記第２の布の枚数が段階的に変化しており、複数の前記第２の布は、貼り合わせられている、衣類。
【請求項２】
請求項１において、複数の前記第２の布は、熱圧着されている、衣類。
【請求項３】
請求項１において、前記第１の布および複数の前記第２の布としては、一様な伸縮性を有する同一の素材が用いられている、衣類。
【請求項４】
請求項１において、前記第２の布部材は、前記身体側である、当該衣類の裏側に設けられており、前記第１の布部材は、表側に設けられている、衣類。
【請求項５】
請求項４において、前記第２の布部材は、積層された複数の前記第２の布のうち、前記裏側の方の布の面積が、前記表側の方の布の面積に対し、段階的に大きくなるように形成されている、衣類。
【請求項６】
請求項１において、前記第２の布部材は、前記体形補正部分の外側から内側に向けて、積層された複数の前記第２の布の枚数が段階的に少なくなるように形成されている、衣類。
【請求項７】
請求項１ないし６のいずれかにおいて、当該衣類は、ブラジャー、ショーツ、ボディースーツ、ガードルから選ばれたものである、衣類。
【考案の詳細な説明】
【技術分野】
【０００１】
本考案は、身体の湾曲している所定の部位を補正するための衣類に関するものである。
【背景技術】
【０００２】
従来、ボディーラインを美しく見せるボディースーツや、乳房の形を美しく見せるためのブラジャー、臀部を含めた下半身を美しく見せるためのガードル等といった衣類、いわゆる補正用下着が市販されている。
【０００３】
特許文献１には、２枚の布が交叉した構成を有する補正用下着が開示されている。この補正用下着は、ブラジャー部位にあっては、下から乳房を持ち上げる力および左右の乳房を身体の中央に寄せる力を大きくすることができる。また、ガードル部位にあっては、腹部の出っ張りを矯正する力、臀部を持ち上げる力を大きくすることができる。
【０００４】
特許文献２には、伸縮地からなる前身と後身とから形成したショーツが開示されている。このショーツでは、対の脚口の裾から上方に向けて、外面にシリコーン樹脂が塗布されている。このショーツでは、本来の伸縮地よりも弾性パワーを大きくした下段の強伸縮抵抗帯（シリコーン樹脂塗布部分）と、この強伸縮抵抗帯よりも弾性パワーを小さくした上段の弱伸縮抵抗帯とを連設している。
【特許文献１】実用新案登録第３１１８７４２号公報
【特許文献２】実用新案登録第３１２３１３７号公報
【考案の開示】
【考案が解決しようとする課題】
【０００５】
補正用下着などの衣類においては、ボディーラインに合わせ、乳房や臀部など、丸みをおびて見せたいところを、より自然に丸みをおびて見せることができるものが求められている。
【課題を解決するための手段】
【０００６】
本考案の一態様は、少なくとも一部が伸縮することにより、身体の湾曲している所定の部位を補正する体形補正部分を有する衣類である。この衣類において、体形補正部分の少なくとも一部分は、第１の布により所定の部位にほぼ沿うように形成された第１の布部材と、伸縮性を有する第２の布が複数枚積層されてなる第２の布部材とを、第１の布部材に対して第２の布部材が表または裏になるように、それらの少なくとも一部を縫い合わせることで形成されている。そして、第２の布部材は、第２の布の枚数が段階的に変化しており、複数の第２の布は、貼り合わせられている。
【０００７】
この衣類によれば、第２の布部材を構成する第２の布の枚数が段階的に変化しているため、ボディーラインに合わせ、乳房や臀部など、丸みをおびて見せたい所定の部位を、より自然な丸みをおびた状態に見せることができる。
【０００８】
すなわち、第２の布部材を構成する第２の布の枚数の多い部分では、弾性係数が増し、伸縮抵抗が比較的大きく、伸縮量が小さくなる。このため、体型を補正する力が大きくなり、丸みをおびて見せたい部位を、より積極的に、身体の内側（身体の中央側）に寄せたり、下側から持ち上げることができる。一方、第２の布の枚数の少ない部分では、伸縮抵抗が比較的小さく、伸縮量が大きくなる。このため、丸みをおびて見せたい部位に無駄な力を与えることがなく、当該部位をソフトに包み、ユーザの身体自体の湾曲に沿った形状で保持することができる。
【０００９】
また、この衣類は、布にシリコーン樹脂などを塗布して補正パワーを切り替えるような衣類とは異なり、布だけで補正パワーの切り替えができる。さらに、複数の第２の布は、互いに貼り合わせられているため、補正パワーが切り替わる部分に縫い目が無い。したがって、着心地がよい。
【００１０】
第１の布の伸縮性が比較的小さく、しかも、第１の布部材が補正の目的とする形状に形成されている場合、この衣類を装着することにより、身体の体形補正部分に覆われた部分は、基本的には、目的とする第１の布部材の形状に補正される。さらに、第２の布部材を構成する第２の布の枚数の多い箇所により覆われる部分は、より第１の布部材の形状に合致するように丸みなどの形状を強調した形状に補正され、第２の布部材の枚数の少ない箇所により覆われる部分は、身体本来の形状に合致した滑らかな、自然な形状に補正される。そして、第２の布部材を構成する第２の布の枚数を段階的に変化させ、補正パワーを段階的に変化させることにより、形状を強調して補正される部分と、身体本来の形状に近い状態に、形状を強調しないで補正される部分との間が、滑らかに、自然な趣で補正される。
【００１１】
このため、第１の布の伸縮性が比較的小さく、しかも、第１の布部材が補正の目的とする形状に形成されている場合、体形補正部分により覆われた部分を、第２の布部材により補正するパワーを変えて、全体として第１の布部材の形状に補正することができる。したがって、体形補正部分により覆われた部分を、ユーザの身体の全体の形状に調和しながら、かつ、全体として第１の布部材の形状に合わせた強弱のめり張りのある形状に補正できる。
【００１２】
複数の第２の布を貼り合わせる方法としては、熱圧着を挙げることができる。すなわち、この衣類では、第２の布部材として、複数の第２の布が熱圧着されているものを用いることができる。熱圧着を用いることにより、補正パワーが切り替わる部分に縫い目ができることを防止できる。したがって、補正パワーの切り替わる部分が明確にならず、身体の湾曲している所定の部位を、連続した丸みのある形状に補正することができる。また、縫い目ができないので、装飾的なデザインとは関係なく、様々な箇所で、微妙な補正パワーの切り替えを行なうことが可能となる。さらに、補正パワーの切り替わる部分が目立たないので、本考案の衣類が下着である場合、上着で覆うことにより、さらに当該衣類（下着）による体形の補正の有無がさらに目立ち難くなる。この衣類によれば、第１の布および複数の第２の布として、一様な伸縮性を有する同一の素材を用いることができる。
【００１３】
裏側の布部材は、身体の湾曲している所定の部位に補正する力を与え易いため、この衣類によれば、第２の布部材を、身体側である裏側に設け、第１の布部材を、表側に設けるとよい。この場合、第２の布部材は、裏側の方が表側よりも、複数の第２の布の面積が段階的に大きくなるように形成することがさらに好ましい。
【００１４】
また、この衣類によれば、第２の布部材は、体形補正部分の外側から内側（身体の中心側）に向けて、複数の第２の布の枚数が段階的に少なくなるように形成されていることが好ましい。このようにすることにより、丸みをおびて見せたい部位、たとえば、左右の乳房や臀部を身体の内側（身体の中央側）に寄せる力を大きくすることができる。また、細く見せたい部位、たとえば、ウエストや腹部に、身体の内側（身体の中央側）に力を与え、当該部位を細く見せることができる。
【００１５】
体形補正部分を有する衣類は、下着、特に女性用の下着として好適である。したがって、体形補正部分を有する当該衣類は、ブラジャー、ショーツ、ボディースーツおよびガードルから選ばれたものを含む。
【考案を実施するための最良の形態】
【００１６】
（第１の実施形態）
図１および図２に、ボディースーツを示している。図１は、ボディースーツを前方から見た様子を示している。図２は、ボディースーツを後方から見た様子を示している。
【００１７】
このボディースーツ１は、前身頃２と後ろ身頃３とを縫い合わせることにより、立体的に形成されている。そして、このボディースーツ１は、ブラジャーとしての機能を含む領域（ブラジャー領域）Ａ１と、ガードル（ショーツ）としての機能を含む領域（ガードル領域）Ａ２と、それらの領域を接続し、さらに、ウエストの部分を補正あるいはサポートするウエストニッパーと称される領域（ウエスト領域）Ａ３とを含むように形成されている。このボディースーツ１の後ろ身頃３は、伸縮することにより、身体の湾曲している部位を補正する体形補正部分５ａを含んでいる。体形補正部分５ａは、後脇、ウエストライン、臀部の近傍を補正する。
【００１８】
図３に、後ろ身頃３の体形補正部分５ａの断面図を示している。後ろ身頃３は、表布部材１０が表側、裏布部材２０が裏側（表布部材１０に対して裏布部材２０が裏側）となるように、表布部材１０と裏布部材２０とを重ねて、それらの一部を縫い合わせることで形成されている。図中の直線Ｌは、縫い目のうちの１つを示している。表布部材（第１の布部材）１０は、背中−ウエスト−臀部にほぼ沿い、全体として所望の体形、またはその体形に近くなるように裁断された第１の布１１を含んでいる。裏布部材（第２の布部材）２０は、伸縮性を有する２枚の第２の布２１ａおよび２１ｂを有している。第１の布１１および２枚の第２の布２１ａおよび２１ｂとしては、一様な伸縮性を有する同一の素材が用いられている。
【００１９】
第２の布２１ａおよび２１ｂは、一方の布２１ａを衣類１の身体側、すなわち、裏側（外側）１ａ、他方の布２１ｂを衣類１の表側（内側）１ｂとし、互いに熱圧着されている。詳しくは、布２１ａは、第１の布１１と略同形状に裁断されている。布２１ｂは、布２１ａと比べて面積が小さくなるように裁断されている。そして、これら第２の布２１ａおよび２１ｂは、前身頃２と後ろ身頃３とのサイドの縫い合わせ部分では２枚重ねとなり、途中で１枚となるように圧着されている。
【００２０】
裏布部材２０においては、重ねられた第２の布の枚数が体形補正部分（後脇、ウエストライン、臀部の近傍と対応する部分）５ａの途中で少なくなる。すなわち、本例においては、裏布部材２０の内側の第２の布２１ｂは、外側の第２の布２１ａに対し、途中まで積層されており、その後は、裏布部材２０は、外側の第２の布２１ａのみとなる。このため、裏布部材２０が身体を支持するパワーが途中で切り替わる。布の枚数の多い外側部分では、弾性係数が高くなり、伸縮抵抗が大きくなるので、伸縮量が小さくなる。このため、体型を補正する力が大きくなり、所望の体形に近づくように、後脇、ウエストライン、臀部を、身体の内側（身体の中央側）に寄せたり、下側から持ち上げるように補正することができる。一方、布の枚数の少ない内側部分では、弾性係数が低くなり、伸縮抵抗が小さくなるので、伸縮量が大きくなる。このため、ウエストや臀部に無駄な力を与えることがなく、当該部位をソフトに包み、ユーザの体形本来に近い丸みのあるシルエットを形成することができる。
【００２１】
さらに、裏布部材２０においては、第２の布２１ａおよび２１ｂは、熱圧着されている。このため、図２において破線で第２の布２１ｂの端を示しているが、この破線に沿って縫い目が存在するわけではない。したがって、体形補正部分５ａは全体として布の厚み程度の段差しかなく、さらに、その段差は、表布部材１０の布１１と、裏側の第２の布２１ａにより挟みこまれているので目立たず、衣類１の着心地もよい。このため、体形補正部分５ａにより、滑らかで、柔らかく、全体が連続した丸みのあるシルエットを形成することが可能となる。また、補正パワーを切り替える箇所が縫い目として現れないので、ボディースーツ１の装飾的なデザインとは分けて、補正パワーを切り替えることが可能となり、よりフレキシブルに体形を補正すること可能となる。そして、裏布部材２０の第２の布の枚数を段階的に変えたところに縫い目が現れないので、下着（ボディースーツ）１に上着を重ねると、補正パワーの切り替わりはほとんど分からなくなり、上着の着こなしも容易になる。
【００２２】
（第２の実施形態）
図４に、ボディースーツの変形例を説明するために、ボディースーツのバックスタイルを示している。図５に、後ろ身頃３の体形補正部分５ａの断面図を示している。
【００２３】
この変形例もまた、ボディースーツ１の後ろ身頃３は、表布部材１０と裏布部材２０とを重ね合わせ、これらの一部を縫い合わせることで形成されている。表布部材（第１の布部材）１０は、上記と同様、背中−ウエスト−臀部にほぼ沿い、所望の体形となるように裁断された第１の布１１を含んでいる。裏布部材（第２の布部材）２０は、伸縮性を有する３枚の第２の布２１ａ、２１ｂおよび２１ｃを有している。第１の布１１ならびに３枚の第２の布２１ａ、２１ｂおよび２１ｃとしては、一様な伸縮性を有する同一の素材が用いられている。
【００２４】
３枚の第２の布２１ａ、２１ｂおよび２１ｃは、３層構造となるように、互いに隣り合う布同士が熱圧着されている。詳しくは、積層された第２の布２１ａ、２１ｂおよび２１ｃのうちの最も裏側（外側）１ａとなる布２１ａは、第１の布１１と略同形状に裁断されている。第２の布２１ａ、２１ｂおよび２１ｃのうち最も表側１ｂとなる布２１ｃは、布２１ａとなるものと比べて面積が小さくなるように裁断されている。第２の布２１ａ、２１ｂおよび２１ｃのうちの真ん中に位置する布２１ｂは、布２１ａと布２１ｃとの間の面積となるように裁断されている。そして、これら第２の布２１ａ、２１ｂおよび２１ｃは、前身頃２と後ろ身頃３とのサイドの縫い合わせ部分では３枚であり、内側（身体の中央側）に向かうに従って、２枚、１枚と枚数が段階的に減るように、布２１ａと布２１ｂおよび布２１ｂと布２１ｃがそれぞれ圧着されている。このため、枚数が段階的に切り替わる部分が、図４では破線で示されているが、上記の実施例と同様に、これらの枚数が変わり、それにより補正パワーが切り替わる境界部分は、視覚的にはほとんど分からない。
【００２５】
この例では、裏布部材２０においては、脇から背中に向かって第２の布２１ａ〜２１ｃの枚数が３枚から１枚へ、段階的に変化している。すなわち、表布部材１０と裏布部材２０が重ねられた体形補正部分（後脇、ウエストライン、臀部の近傍と対応する部分）５ａの外側１ａから内側１ｂに向けて、第２の布２１ａ〜２１ｃの枚数が段階的に少なくなるように形成されている。面積で言うと、裏布部材２０は、積層された複数の第２の布２１ａ、２１ｂおよび２１ｃのうち、裏側１ａの方の布２１ａおよび２１ｂの面積が、表側１ｂの方の布２１ｃの面積に対し、段階的に大きくなるように形成されている、したがって、このボディースーツ１では、身体の外側（脇）から内側（身体の中央側）にかけて、身体に与える圧力が段階的に変化する。枚数の多い外側部分（脇）では、伸縮量が小さくなるため、体型を補正する力が大きくなり、後脇、ウエストライン、臀部を、身体の内側（身体の中央側）に寄せたり、下側から持ち上げることができ、補正量を大きくできる。一方、枚数の少ない内側部分(身体の中央側）では、伸縮量が大きくなるため、ウエストや臀部に無駄な力を与えることがなく、当該部位をソフトに包み、補正量を小さくして身体本来の丸みのあるシルエットを形成することができる。そして、このような補正量は、裏側の第２の布が重ねられた枚数が段階的に変わることにより段階的に変わり、場所による補正量の差分が小さくなるので、表布部材１０に沿って、より自然で、かつ、めり張りのあるラインが得られるように、体形を補正できる。これら第１および第２の実施形態は、ボディースーツに限らず、ガードルなどにも好適である。
【００２６】
（第３の実施形態）
図６に、ボディースーツのさらなる変形例を説明するために、ボディースーツ１のブラジャー領域Ａ１のカップ部３０を後側から見た図を示している。図７に、カップ部３０の体形補正部分５ｂの構造を断面図により示している。
【００２７】
ボディースーツ１のカップ部３０の体形補正部分５ｂは、表布部材１０と裏布部材２０とを重ねて、それらの下側を縫い合わせることで形成されている。このカップ部３０の体形補正部分５ｂは、乳房の形状を下側および側方から補正するものである。
【００２８】
表布部材（第１の布部材）１０は、乳房の形状にほぼ沿い、所望の形状となるように立体的に形成された第１の布１１ａおよび１１ｂを含んでいる。具体的には、表布部材１０は、表側に位置するレース１１ａと裏側に位置するガーゼ１１ｂとの２層構造である。裏布部材（第２の布部材）２０は、伸縮性を有する３枚の第２の布２１ａ、２１ｂおよび２１ｃを有している。裏布部材２０は、表布部材１０よりも小さく形成されている。表布部材１０と裏布部材２０との間が若干浮くように、これらの布部材１０および２０は、アンダーバスト部３１で縫い合わされている。表布部材１０と裏布部材２０との間のアンダーバスト部３１と対応する領域には、ワイヤーが挟まれている。なお、ワイヤーは省略できる。
【００２９】
第２の布２１ａ、２１ｂおよび２１ｃは、３層構造となるように、互いに隣り合う布同士が熱圧着されている。詳しくは、第２の布２１ａ、２１ｂおよび２１ｃのうちの最も裏側（身体側、重ねられた布の外側）１ａとなる布２１ａは、第１の布１１の略半分の面積となる三日月状に裁断されており、その上端は、ストラップ部３２の根元まで延びている。第２の布２１ａ、２１ｂおよび２１ｃのうち最も裏側１ａとなる布２１ａおよび真ん中に位置する布２１ｂは同形状であって、最も表側の布２１ｃはそれらよりも面積が小さく、アンダーバスト部３１の側で積層されている。したがって、これら第２の布２１ａ〜２１ｃは、アンダーバスト部３１と対応する縫い合わせ部分では３枚構造であり、途中から２枚構造となるように圧着されている。
【００３０】
裏布部材２０においては、第２の布２１ａ〜２１ｃの枚数が体形補正部分５ｂの途中、すなわち、内側および上側で少なくなる。このため、このボディースーツ１のカップ部３０では、身体の外側から内側（身体の中央側）にかけて、乳房に与えるパワーが途中で切り替わる。裏布部材２０の積層された布の枚数の多い外側部分では、弾性係数が大きく、伸縮抵抗が大きくなるので、伸縮量が小さくなる。このため、乳房を補正する力が大きくなり、下から乳房を持ち上げる力および左右の乳房を身体の中央に寄せる力を大きくすることができる。すなわち、裏布部材２０により乳房の外側を内側に寄せて、表布部材１０からなるカップ部３０の形状に補正することができる。
【００３１】
一方、裏布部材２０の積層された布の枚数の少ない内側部分では、弾性係数が小さく、伸縮抵抗が小さいので、伸縮量が大きくなる。このため、乳房に無駄な力を与えることがなく、当該部位をソフトに包み、身体の本来の形状に沿った丸みのあるシルエットを形成することができる。さらに、１枚の布２１ａで形成されている内側部分は、補正パワーが小さいので、ストラップ部３２の根元まで延ばすことにより、身体に無理な力を与えずに、乳房の上方の形状を柔らかく、外側から内側に寄せることができる。したがって、乳房の上方の形状を、穏やかに外側から内側に寄せることができ、自然な趣で、乳房の形状を所望の形状、またはそれに近い形状に補正できる。
【００３２】
（第４の実施形態）
図８に、ボディースーツのさらなる変形例を説明するために、ボディースーツ１のカップ部３０を後側から見た図を示している。図９に、カップ部３０の体形補正部分５ｂの断面図を示している。
【００３３】
ボディースーツ１のカップ部３０は、上記と同様、乳房の形状を補正する体形補正部分５ｂを含んでおり、表布部材１０と裏布部材２０とを重ねて、アンダーバスト側３１を縫い合わせることで形成されている。
【００３４】
裏布部材２０の３枚の第２の布２１ａ、２１ｂおよび２１ｃは、互いに隣り合う布同士が熱圧着されている。詳しくは、第２の布２１ａ、２１ｂおよび２１ｃのうちの最も裏側（外側）１ａとなる布２１ａは、第１の布１１の略半分の面積となる三日月状に裁断されており、その上端は、ストラップ部３２の根元まで延びている。第２の布２１ａ、２１ｂおよび２１ｃのうち最も表側１ｂとなる布２１ｃは、布２１ａと比べて面積が小さくなるように裁断されている。第２の布２１ａ、２１ｂおよび２１ｃのうちの真ん中に位置する布２１ｂは、布２１ａと２１ｃの中間の面積となるように裁断されている。そして、これら第２の布２１ａ、２１ｂおよび２１ｃは、アンダーバスト部３１と対応する縫い合わせ部分では３枚構造であり、内側（身体の中央側）に向かうに従って、３枚、２枚、１枚と、枚数が段階的に少なくなるように圧着されている。
【００３５】
このため、このボディースーツ１のカップ部３０の体形補正部分５ｂでは、裏布部材２０により、身体の外側から内側にかけて、乳房に与えられるパワー（圧力）、すなわち、体形を補正するパワーが段階的に変化する。枚数の多い外側部分では、伸縮量が小さくなるため、乳房を補正する力が大きくなり、下から乳房を持ち上げる力および左右の乳房を身体の中央に寄せる力を大きくすることができる。一方、枚数の少ない内側部分では、伸縮量が大きくなるため、補正パワーが小さく、乳房に無駄な力を与えることがなく、当該部位をソフトに包み、丸みのあるシルエットを形成することができる。そして、補正パワーは身体の外側から内側に向かって段階的に変わるので、乳房の外側の形状をより強調して補正し、内側の形状は本来の形状に近づけるように補正し、その間を形状が無理のない、自然な趣となるように補正できる。また、補正パワーが徐々に変化するので、身体に無理な力が加わり難く、肩こりなどの発生を抑制できる。これら第３および第４の実施形態は、ブラジャーなどにも好適である。
【００３６】
また、上記では、ブラジャー、ガードルなどの機能を備えたボディースーツを例にとって説明したが、本考案は、ブラジャー、ショーツおよびガードルなどの下着（衣類）においても、同様に適用することができる。
【図面の簡単な説明】
【００３７】
【図１】ボディースーツのフロントスタイルを示す図。
【図２】第１の実施形態にかかるボディースーツのバックスタイルを示す図。
【図３】図２中のIII-III線に沿って切断して示す断面図。
【図４】第２の実施形態にかかるボディースーツのバックスタイルを示す図。
【図５】図４中のV-V線に沿って切断して示す断面図。
【図６】第３の実施形態にかかるボディースーツのカップ部を後側から見た図。
【図７】図６中のVII-VII線に沿って切断して示す断面図。
【図８】第４の実施形態にかかるボディースーツのカップ部を後側から見た図。
【図９】図８中IX-IX線に沿って切断して示す断面図。
【符号の説明】
【００３８】
１    ボディースーツ（衣類）、  ５ａ、５ｂ    体形補正部分
１０    表布部材（第１の布部材）、  １１、１１ａ、１１ｂ    第１の布
２０    裏布部材（第２の布部材）、  ２１ａ〜２１ｃ    第２の布
【図１】
0003127664.tif 000003
【図２】
0003127664.tif 000004
【図３】
0003127664.tif 000005
【図４】
0003127664.tif 000006
【図５】
0003127664.tif 000007
【図６】
0003127664.tif 000008
【図７】
0003127664.tif 000009
【図８】
0003127664.tif 000010
【図９】
0003127664.tif 000011